(57)【要約】      （修正有）【課題】  画像再生時の拡大,縮小操作性の高い電子カメラ、撮像画像に対する画像処理を、コンピュータで実現する際の操作性が高い画像処理プログラムを提供する。【解決手段】  画像データを出力する撮影部と、画像データ記憶部と、画像表示部とを備え、撮影画像とともに表示構図決定用補助枠を含む複数のアシストメニューを記憶する記憶部と、アシストメニュー記憶部から１つのアシストメニューを選択する選択部と、画像記憶部に記憶される画像データに基づく記憶撮影画像を、拡大または縮小する変倍指示を受け付ける受付部とを備え、画像記憶部は撮影時にアシストメニュー選択部によって選択された１つのアシストメニューを画像データと関連づけて記憶し、表示部は受付部により変倍指示を受け付けると、画像データと関連づけて画像記憶部に記憶された構図決定用補助枠に基づいて、定められる位置を中心に画像を拡大または縮小表示する。【選択図】      図１
2005318009.tif 000002
【特許請求の範囲】
【請求項１】
被写体を撮影して画像データを出力する撮影部と、
前記画像データを記憶する画像記憶部と、
前記撮影部によって撮影された撮影画像を表示する表示部とを備えた電子カメラにおいて、
前記撮影画像とともに、前記表示部に表示される構図決定用補助枠を含む複数のアシストメニューを記憶するアシストメニュー記憶部と、
前記アシストメニュー記憶部に記憶された前記複数のアシストメニューから、１つのアシストメニューを選択するアシストメニュー選択部と、
前記画像記憶部に記憶される前記画像データに基づく記憶撮影画像を、電気的に前記表示部上で拡大または縮小する変倍指示を受け付ける受付部とを備え、
前記画像記憶部は、さらに前記撮影画像の撮影時に前記アシストメニュー選択部によって選択された前記１つのアシストメニューを、前記画像データと関連づけて記憶し、
前記表示部は、前記受付部により前記変倍指示を受け付けると、前記画像データと関連づけられて前記画像記憶部に記憶された前記アシストメニューに含まれる前記構図決定用補助枠に基づいて定められる位置を中心として、前記記憶撮影画像を電気的に拡大または縮小して変倍表示する
ことを特徴とする電子カメラ。
【請求項２】
被写体を撮影して画像データを出力する撮影部と、
前記撮影部による撮影に際して用いられる構図決定用補助枠を含む複数のアシストメニューを記憶するアシストメニュー記憶部と、
前記アシストメニュー記憶部に記憶された前記複数のアシストメニューから、１つのアシストメニューを選択するアシストメニュー選択部と、
前記画像データとともに、前記画像データの撮影時に前記アシストメニュー選択部によって選択された前記１つのアシストメニューを前記画像データに関連づけて記憶する画像記憶部とを備えた電子カメラによって生成された画像に対する画像処理を、画像表示部を有するコンピュータで実現する画像処理プログラムであって、
前記画像記憶部に記憶された前記画像データを取得する取得手順と、
前記取得手順により取得した前記画像データに基づく記憶撮影画像を前記画像表示部に表示する表示手順と、
前記表示手順により表示された前記記憶撮影画像に対する電気的な拡大または縮小の変倍指示を受け付ける受付手順と、
前記変倍指示に応じて、前記画像記憶部に記憶された前記記憶撮影画像を、前記１つのアシストメニューに含まれる前記構図決定用補助枠に基づいて定められる位置を中心として、電気的に拡大または縮小して前記画像表示部上に変倍表示する変倍表示手順と
を備えたことを特徴とする画像処理プログラム。
【発明の詳細な説明】
【技術分野】
【０００１】
本発明は、撮像により得られた画像を再生表示可能な電子カメラと、電子カメラにより撮像された画像に対する画像処理を、画像表示部を有するコンピュータで実現する画像処理プログラムとに関する。
【背景技術】
【０００２】
従来より、電子カメラでは、撮影により生成された画像を液晶モニタなどの表示装置に表示可能である。画像を表示する際には、ユーザ操作に応じて、拡大、縮小や位置の変更（いわゆるスクロール）などが行われる（例えば、特許文献１参照）。
【特許文献１】特開平４−３５６８７７号公報
【発明の開示】
【発明が解決しようとする課題】
【０００３】
しかし、表示された画像を拡大または縮小する際には、被写体に関係なく、画像の中央が拡大または縮小の中心となる。そのため、例えばピントの確認を行う場合、ユーザは、拡大操作を行った後に、所望の位置まで画像を移動する操作を行わなければならない。このように画像を移動する際には、所望の位置に的確に画像を移動させることができない場合もある。
【０００４】
本発明は、画像再生時の拡大または縮小操作において操作性の高い電子カメラ、および電子カメラにより撮像された画像に対する画像処理を、画像表示部を有するコンピュータで実現する際の操作性が高い画像処理プログラムを提供することを目的とする。
【課題を解決するための手段】
【０００５】
請求項１に記載の電子カメラは、被写体を撮影して画像データを出力する撮影部と、前記画像データを記憶する画像記憶部と、前記撮影部によって撮影された撮影画像を表示する表示部とを備えた電子カメラにおいて、前記撮影画像とともに、前記表示部に表示される構図決定用補助枠を含む複数のアシストメニューを記憶するアシストメニュー記憶部と、前記アシストメニュー記憶部に記憶された前記複数のアシストメニューから、１つのアシストメニューを選択するアシストメニュー選択部と、前記画像記憶部に記憶される前記画像データに基づく記憶撮影画像を、電気的に前記表示部上で拡大または縮小する変倍指示を受け付ける受付部とを備え、前記画像記憶部は、さらに前記撮影画像の撮影時に前記アシストメニュー選択部によって選択された前記１つのアシストメニューを、前記画像データと関連づけて記憶し、前記表示部は、前記受付部により前記変倍指示を受け付けると、前記画像データと関連づけられて前記画像記憶部に記憶された前記アシストメニューに含まれる前記構図決定用補助枠に基づいて定められる位置を中心として、前記記憶撮影画像を電気的に拡大または縮小して変倍表示することを特徴とする。
【０００６】
請求項２に記載の画像処理プログラムは、被写体を撮影して画像データを出力する撮影部と、前記撮影部による撮影に際して用いられる構図決定用補助枠を含む複数のアシストメニューを記憶するアシストメニュー記憶部と、前記アシストメニュー記憶部に記憶された前記複数のアシストメニューから、１つのアシストメニューを選択するアシストメニュー選択部と、前記画像データとともに、前記画像データの撮影時に前記アシストメニュー選択部によって選択された前記１つのアシストメニューを前記画像データに関連づけて記憶する画像記憶部とを備えた電子カメラによって生成された画像に対する画像処理を、画像表示部を有するコンピュータで実現する画像処理プログラムであって、前記画像記憶部に記憶された前記画像データを取得する取得手順と、前記取得手順により取得した前記画像データに基づく記憶撮影画像を前記画像表示部に表示する表示手順と、前記表示手順により表示された前記記憶撮影画像に対する電気的な拡大または縮小の変倍指示を受け付ける受付手順と、前記変倍指示に応じて、前記画像記憶部に記憶された前記記憶撮影画像を、前記１つのアシストメニューに含まれる前記構図決定用補助枠に基づいて定められる位置を中心として、電気的に拡大または縮小して前記画像表示部上に変倍表示する変倍表示手順とを備えたことを特徴とする。
【発明の効果】
【０００７】
本発明によれば、画像再生時の拡大または縮小の電気的変倍の操作において操作性の高い電子カメラ、および電子カメラにより撮像された画像に対する画像処理をコンピュータで実現する際の操作性が高い画像処理プログラムを提供することができる。
【発明を実施するための最良の形態】
【０００８】
＜第１実施形態＞
以下、図面を用いて、本発明の第１実施形態について詳細な説明を行う。
図１は、本発明の実施形態における電子カメラ１の構成を示すブロック図である。
電子カメラ１は、図１に示すように、撮像部１０、制御部１１、画像処理部１２、表示処理部１３を備えていると共に、メモリカード(カード状のリムーバブルメモリ)１４とのインタフェースをとるメモリカード用インタフェース部１５を備えており、これらはバスを介して相互に接続されている。
【０００９】
なお、撮像部１０は、不図示のレンズ、被写体の明るさや撮影距離などを測定する各種センサ、撮像素子、Ａ／Ｄ変換器などを備える。
また、電子カメラ１は、操作部２０と液晶モニタ２５とを備える。図１において、操作部２０の出力は制御部１１に接続され、液晶モニタ２５には表示処理部１３の出力が接続される。なお、操作部２０は、不図示の電源ボタン、レリーズボタン、後述するユーザ操作にかかわる十字キーなどを含む。
【００１０】
また、制御部１１は、メモリ５０を備え、後述する撮影シーン、撮影シーンごとのアシストメニュー、各設定時のメニュー画面などを予め記録する。また、このメモリ５０は、撮像部１０により撮像された画像も一時記録する（詳細は後述する）。さらに、制御部１１は、本発明の特徴である画像の変倍処理を行う（詳細は後述する）。
なお、第１実施形態の電子カメラ１は、各種設定を自動で行ういわゆるオート撮影機能の他に、撮影条件などが予め定められた撮影シーンを選択して撮影を行うシーン撮影機能を備える。シーン撮影において選択可能な撮影シーンには、「ポートレート」、「風景」などがある。これらの撮影シーンは、後述するアシストメニューを備える。
【００１１】
なお、撮像部１０、制御部１１は、請求項の「撮影部」に対応し、メモリ５０、メモリカード１４、メモリカード用インタフェース部１５は、請求項の「画像記憶部」に対応する。また、制御部１１、表示処理部１３、液晶モニタ２５は、請求項の「表示部」に対応し、メモリ５０は、請求項の「アシストメニュー記憶部」に対応する。また、制御部１１、操作部２０は、請求項の「アシストメニュー選択部」および「受付部」に対応する。また、前述した「画像記憶部」が記憶する画像は、請求項の「記憶撮影画像」に対応する。
【００１２】
以上説明したような構成の電子カメラ１において、操作部２０の不図示の電源ボタンが操作されると、制御部１１はこれを検知し、動作を開始する。
まず、撮影時の電子カメラ１の動作について説明する。
操作部２０の不図示の十字キーなどにより撮影モードとしてオート撮影が選択されている状態において、レリーズボタンが押圧されると、制御部１１はこれを検知し、各部にオート撮影実行の指示を行う。なお、オート撮影時の具体的な動作については、公知技術と同様であるため説明を省略する。
【００１３】
一方、操作部２０の不図示の十字キーなどにより撮影モードとしてシーン撮影が選択されると、制御部１１は、これを検知し、表示処理部１３を介して、液晶モニタ２５に、シーン撮影における撮影シーンを、予め定められた複数の撮影シーンの中から選択するための選択画面を表示する。そして、ユーザにより撮影シーンが選択されると、制御部１１は、これを検知し、表示処理部１３を介して、液晶モニタ２５に、各撮影シーンにおけるアシストメニューの選択画面を表示する。
【００１４】
第１実施形態における電子カメラ１は、前述したように、シーン撮影における「ポートレート」、「風景」などの撮影シーンごとにアシストメニューを備える。
アシストメニューは、撮影時の構図決定の補助枠（構図決定用補助枠）の表示や構図に基づく撮影条件を含み、前述したように、制御部１１内のメモリ５０に記録されている。ユーザは、いずれのアシストメニューを選択して撮影を行うことにより、構図の決定を容易に行うことができ、さらに、撮影に関わる煩雑な設定を行わずして、良好な画像を得ることができる。
【００１５】
「ポートレート」のアシストメニューには、「アシストなし」、人物を中央からずらすことにより画面に空間を作る構図である「人物左」および「人物右」、ポートレート撮影の基本構図である「ウェストショット」、２人撮影用の構図である「ツーショット」、全身撮影用の構図である「縦位置」が含まれる。「アシストなし」、「人物左」、「人物右」、「ウェストショット」、「ツーショット」、「縦位置」のそれぞれは、請求項の「アシストメニュー」に対応する。
【００１６】
ユーザは、液晶モニタ２５に表示された図２に示す「ポートレート」のアシストメニューの選択画面を目視しながら、いずれのアシストメニューを選択する。なお、選択画面上のアシストメニューの選択は、操作部２０の不図示の十字キーなどを操作することによって実現される。
また、「風景」のアシストメニューには、「アシストなし」、空と山をバランス良く配置する構図である「山」、建物をまっすぐに撮影する構図である「建物」、旅行先での記念撮影など、人物と背景とのバランスがとれた構図である「左背景」および「右背景」が含まれる。「風景」のアシストメニューの選択画面の例を図３に示す。
【００１７】
次に、いずれのアシストメニューが選択された場合の、制御部１１の動作について以下に説明する。
制御部１１は、まず、選択されたアシストメニューに含まれる構図決定用補助枠を、液晶モニタ２５上に表示されるスルー画（動画）に重ねて表示する。このように構図決定用補助枠を表示することにより、ユーザに対して構図決定用補助枠を呈示することができる。
【００１８】
そして、選択されたアシストメニューに含まれる撮影条件を読み出して設定する。なお、構図決定用補助枠および撮影条件は、前述したように、アシストメニューごとに制御部１１内のメモリ５０に記録されている。
図４に、「ポートレート」に付随する各アシストメニューごとの構図決定用補助枠の表示例を示し、図５に、「風景」に付随する各アシストメニューごとの構図決定用補助枠の表示例を示す。図４および図５において、点線で示されているのが、構図決定用補助枠である。なお、図４および図５では、選択されたアシストメニューがいずれの撮影シーンに付随するアシストメニューであるかをユーザに呈示するために、液晶モニタ２５の左上の部分に、撮影シーンを示すマークＸおよびＹを表示する例を示す。
【００１９】
図４Ａは、アシストメニュー「人物左」に含まれる構図決定用補助枠を示し、図４Ｂは、アシストメニュー「人物右」に含まれる構図決定用補助枠を示し、図４Ｃは、アシストメニュー「ツーショット」に含まれる構図決定用補助枠を示し、図４Ｄは、アシストメニュー「ウェストショット」に含まれる構図決定用補助枠を示し、図４Ｅは、「縦位置」に含まれる構図決定用補助枠を示す。
【００２０】
図５Ａは、アシストメニュー「山」に含まれる構図決定用補助枠を示し、図５Ｂは、アシストメニュー「建物」に含まれる構図決定用補助枠を示し、図５Ｃは、アシストメニュー「左背景」に含まれる構図決定用補助枠を示し、図５Ｄは、アシストメニュー「右背景」に含まれる構図決定用補助枠を示す。
ユーザは、表示された構図決定用枠に被写体を合わせることで、構図決定を行うことができる。例えば、「風景」の右背景または左背景は、旅行先での記念撮影など、人物と背景との両方を綺麗に撮影したい時に有効である。構図決定用枠に被写体である人物を合わせることにより、人物が小さくなりすぎず、バランスのとれた記念撮影を行うことができる、また、構図決定のための構図決定用補助枠が表示されるため、他の人に撮影を依頼する場合にも構図を指定することができ、便利である。
【００２１】
また、各アシストメニューには、自動合焦動作の際に用いられる焦点検出エリア、自動露光制御動作の際に用いられる露光量検出エリアの位置、大きさなどの撮影条件が、アシストメニューに含まれる構図決定用補助枠の構図に応じて、予め定められている。
ここまでに説明したオート撮影またはシーン撮影により撮影が行われると、制御部１１は、撮像部１０を介して撮像された画像に対して、画像処理部１２を介して所定の画像処理を施し、制御部１１内のメモリ５０に一時記憶してから、表示処理部１３を介して液晶モニタ２５に表示する。このように、撮影直後に液晶モニタ２５に表示される画像を、以下では「レビュー画像」と称する。
【００２２】
そして、ユーザにより操作部２０を介して画像の記録が指示されると、制御部１１は、メモリ５０に一時記憶した画像を、メモリカード用インタフェース部１５を介してメモリカード１４に記録する。
なお、制御部１１は、画像を、制御部１１内のメモリ５０に一時記憶する場合や、メモリカード用インタフェース部１５を介してメモリカード１４に記録する場合に、撮影時に選択された撮影モード（オート撮影またはシーン撮影）、撮影シーン、アシストメニューの種類、撮影条件などをＥＸＩＦ情報として、画像と関連づけて記録する。
【００２３】
次に、画像再生時の電子カメラ１の動作について説明する。
ユーザの操作部２０の操作によって画像の再生が指示されると、制御部１１はこれを検知し、メモリカード用インタフェース部１５を介してメモリカード１４から画像を読み出し、表示処理部１３を介して液晶モニタ２５に表示する。
以下では、第１実施形態の特徴である画像再生時の拡大または縮小の変倍操作時の動作について、図６に示すフローチャートを用いて説明する。
【００２４】
制御部１１は、拡大または縮小の変倍操作により変倍指示が行われたか否かを判定する（ステップＳ１）。
拡大または縮小の変倍指示が行われない場合（他の指示が行われた場合）、制御部１１は、指示された処理を行い、拡大または縮小の変倍指示が行われた場合、再生表示されている画像のＥＸＩＦ情報を取得する（ステップＳ２）。ＥＸＩＦ情報は前述したように、画像と関連づけて記録されている。
【００２５】
次に、制御部１１は、取得したＥＸＩＦ情報を参照して、再生表示されている画像がアシストメニューで撮影された画像であるか否かを判定する（ステップＳ３）。アシストメ
ニューで撮影された画像である場合（ステップＳ３ＹＥＳ）、制御部１１は、撮影時に選択されたアシストメニューに含まれる構図決定用補助枠に基づいて定められる位置を拡大または縮小の中心として電気的な変倍処理を実行する（ステップＳ４）。
【００２６】
ここで、アシストメニューに含まれる構図決定用補助枠に基づいて定められる位置とは、主要被写体が存在すると推定される位置である。例えば、図４Ａに示した、「ポートレート」の「人物左」のアシストメニューでは、主要被写体である人物の顔は、図４Ａ中の点ａ近傍にあると推定される。そして、この位置（図４Ａ中のa）を拡大または縮小の中心として電気的な変倍処理を行うことにより、ユーザは、ピントの確認や手ぶれの確認を速やかに行うことができる。
【００２７】
なお、図４Ｂに示した、「ポートレート」の「人物右」のアシストメニューの場合には、図４Ｂ中の点ｂ近傍を拡大または縮小の変倍処理の中心とすれば良い。
また、図４Ｃに示した、「ポートレート」の「ツーショット」のアシストメニューの場合は、自動合焦撮影において用いられた焦点検出エリアの位置をＥＸＩＦ情報として記録しておき、その位置を拡大または縮小の変倍処理の中心にすれば良い。前記焦点検出エリアは、図４Ｃ中の点ｃ１、もしくは点ｃ２に設定されていることが多い。したがって、図４Ｃ中の点ｃ１、点ｃ２を中心として拡大された主要被写体である２人の人物の顔を、操作部２０の操作によって切り替えて表示するようにしても良い。勿論２人の人物の拡大された顔画像を同時に表示するように構成しても良い。これによって、焦点検出エリアに設定された主要被写体と、焦点検出エリアに設定されていない主要被写体の各々の焦点状態を液晶モニタ２５の表示画面上で確認することができる。さらには、図４Ｃ中の点ｃ１および点ｃ２の中点を拡大または縮小の変倍処理の中心としても良い。
【００２８】
また、図４Ｄに示した、「ポートレート」の「ウェストショット」のアシストメニューの場合には、図４Ｄ中の点ｄ近傍を拡大または縮小の変倍処理の中心とし、図４Ｅに示した、「ポートレート」の「縦位置」のアシストメニューの場合は、図４Ｅ中の点ｅ近傍を拡大または縮小の変倍処理の中心とすれば良い。
また、図５Ａに示した、「風景」の「山」のアシストメニューの場合には、山の稜線近傍を拡大または縮小の変倍処理の中心とし、図５Ｂに示した、「風景」の「建物」のアシストメニューの場合は、建物の頭頂部近傍を拡大または縮小の変倍処理の中心とすれば良い。また、図５Ｃおよび図５Ｄに示した、「風景」の「左背景」および「右背景」のアシストメニューの場合には、前述した「ポートレート」の「ツーショット」と同様にすれば良い。
【００２９】
いずれの場合も、どの位置を拡大または縮小の変倍処理の中心とするかは、画像中の座標をテーブルの形で記録しておくのが好ましい。
一方、アシストメニューで撮影された画像でない場合（ステップＳ３ＮＯ）、制御部１１は、液晶モニタ２５に表示されている画像の中心を拡大または縮小の中心として電気的な変倍処理を実行する（ステップＳ５）。そして、制御部１１は、ステップＳ４またはステップＳ５で電気的な変倍処理を行った画像を、表示処理部１３を介して、液晶モニタ２５に表示し、ステップＳ１に戻る。
【００３０】
なお、ステップＳ４およびステップＳ５において、画像の変倍処理を行う際に、その倍率は、画像の大きさに応じて決めるか、液晶モニタ２５の１ドットと、表示する画像の１ピクセルとが等しいピクセル等倍にすれば良い。
以上説明したように、第１実施形態によれば、構図決定用補助枠および構図に基づく撮影条件を含むアシストメニューにより撮影された画像を再生表示する際に、拡大または縮小の変倍指示を受け付けると、アシストメニューに含まれる構図決定用補助枠に基づいて予め定められる位置を中心として、前記記憶撮影画像を電気的に拡大または縮小して変倍表示する。したがって、再生画像の中心を拡大中心とした拡大動作後の表示位置の変更操作や、拡大動作に先立って拡大中心を指定するなどの操作が不要となり、拡大または縮小の変倍操作における操作性が向上する。
【００３１】
なお、第１実施形態で、画像再生時の拡大または縮小の変倍操作時に行った動作と同様の動作を、レビュー画像を表示する際に行うようにしても良い。すなわち、アシストメニューによる撮影直後に、液晶モニタ２５に画像を表示する際に、アシストメニューに含まれる構図決定用補助枠に基づいて定められる位置を中心に変倍表示することにより、ユーザは、ピントの確認や手ぶれの確認を速やかに行うことができる。このとき、レリーズボタンの操作によってシーン撮影を行い、レビュー画像として全体像を表示した後に、例えば、操作を伴うことなく所定時間後に自動的に予め定められた所定の拡大倍率の拡大画像に切り替えて表示するようにしても良いし、撮影直後にどのような画像を表示するかをユーザにより設定可能にしても良い。
【００３２】
また、第１実施形態で用意されていた撮影シーンの他の撮影シーンを用意するようにしても良い。また、第１実施形態で用意されていたアシストメニューの他のアシストメニューを用意するようにしても良い。
また、第１実施形態では、撮影シーンを選択した後に、アシストメニューを選択する例を示したが、アシストメニューを直接選択可能にしても良い。
【００３３】
また、第１実施形態では、撮影直後にレビュー画像を表示し、ユーザの指示を待ってメモリカード１４に記録する例を示したが、撮影後に自動的にメモリカード１４に記録するようにしても良い。このような場合、直前に撮影した画像を読み出して表示する機能を備えた電子カメラでは、前述したレビュー画像と同様に、変倍表示を行うようにしても良い。
【００３４】
また、第１実施形態で説明した拡大または縮小機能を、例えば、手ぶれ警告機能などの機能と組み合わせると、操作性がより向上することが期待できる。
また、第１実施形態では、電子的な変倍動作を撮影時に選択されたアシストメニューに応じて変更する構成について説明したが、焦点検出領域の位置などの撮影条件によって変更する構成としても良い。
【００３５】
＜第２実施形態＞
以下、図面を用いて本発明の第２実施形態について説明する。
図７は、第２実施形態のコンピュータ１００の機能ブロック図である。
コンピュータ１００は、図７に示すように、制御部１１１、表示処理部１１３、操作部１２０、モニタ１２５を備えるとともに、電子カメラやメモリカードなど、外部からデータなどを受け取り可能な外部インタフェース部１３０を備える。制御部１１１には、本発明の画像処理プログラムが予め記録されている。コンピュータ１００は、この画像処理プログラムにしたがって、画像処理を行う。
【００３６】
なお、制御部１１１、表示処理部１１３、モニタ１２５は、請求項の「画像表示部」に対応し、制御部１１、操作部２０は、請求項の「アシストメニュー選択部」に対応する。また、インタフェース部１３０が受け取るデータに含まれる画像を撮像する際に使用される電子カメラは、請求項の「撮影部」、「アシストメニュー記憶部」、「アシストメニュー選択部」、「画像記憶部」に対応する各部を備える。
【００３７】
コンピュータ１００は、外部インタフェース部１３０を介して、撮像により得られた画像データを取得し、操作部１２０を介したユーザの指示にしたがって、表示処理部１１３を介してモニタ１２５に画像を表示する。なお、取得する画像データは、請求項の「記憶撮影画像」に対応する。
そして、制御部１１１は、図６に説明した手順で画像の拡大または縮小の変倍処理を行う。具体的な方法については第１実施形態と同様であるため、説明を省略する。
【００３８】
なお、前述した外部インタフェース部１３０を介した画像データの取得は、請求項の「取得手順」に対応し、表示処理部１１３を介したモニタ１２５への画像の表示は、請求項の「表示手順」に対応する。また、図６のステップＳ１は、請求項の「受付手順」に対応し、図６のステップＳ２からステップＳ６は、請求項の「変倍表示手順」に対応する。
ただし、コンピュータ１００は、撮像により得られた画像データ（処理対象の画像）とともに、その画像が撮像された際の撮影情報として、撮影時に選択された撮影モード（オート撮影またはシーン撮影）、撮影シーン、アシストメニューの種類、撮影条件などを取得する。
【００３９】
なお、撮影条件は例えばＥＸＩＦなどのファイルフォーマットを用いて、画像データの付帯情報として記録しておいても良い。
以上説明したように、第２実施形態によれば、第１実施形態と同様の効果を得ることができる。
【図面の簡単な説明】
【００４０】
【図１】第１実施形態の電子カメラ１の機能ブロック図である。
【図２】第１実施形態の電子カメラ１におけるアシストメニューの選択画面の表示例を示す図である。
【図３】第１実施形態の電子カメラ１におけるアシストメニューの選択画面の表示例を示す図である。
【図４】第１実施形態の電子カメラ１における構図決定用補助枠の表示例を示す図である。
【図５】第１実施形態の電子カメラ１における構図決定用補助枠の表示例を示す図である。
【図６】第１実施形態の電子カメラ１の動作を示すフローチャートである。
【図７】第２実施形態のコンピュータ１００の機能ブロック図である。
【符号の説明】
【００４１】
１  電子カメラ
１０  撮像部
１１，１１１  制御部
１２  画像処理部
１３  表示処理部
１４  メモリカード
１５  メモリカード用インタフェース部
２０，１２０  操作部
２５  液晶モニタ
５０  メモリ
１００  コンピュータ
１２５  モニタ
１３０  外部インタフェース部
【図１】
2005318009.tif 000003
【図２】
2005318009.tif 000004
【図３】
2005318009.tif 000005
【図４】
2005318009.tif 000006
【図５】
2005318009.tif 000007
【図６】
2005318009.tif 000008
【図７】
2005318009.tif 000009